(57)【要約】【課題】物品に特殊な形状を設けることなく任意の箇所への取り付けを可能とし、物品自体を小型化できる物品取り付け具を提供する。【解決手段】物品取り付け具５０は、第１、第２の吸盤装置２０Ａ、２０Ｂと、それら第１、第２の吸盤装置２０Ａ、２０Ｂを連結する連結部８０とを備えている。第１、第２の吸盤装置２０Ａ、２０Ｂのうちの一方の吸盤装置の吸盤２２をゲーム機１０の背面１２０４に吸着固定させ、他方の吸盤装置の吸盤２２を被吸着面２に吸着固定させる。ねじ挿通孔８２０６、４６０２に挿通した雄ねじ部材８４を雌ねじ８２０６に対して緩めた状態でゲーム機１０を所望の姿勢に揺動させ、所望の姿勢になったところで雄ねじ部材８４の雄ねじ８４０２を締め付け、被挟持体４６を球面状挟持面８２０２で締め付け固定する。【選択図】図４
2008093026.tif 000002
【特許請求の範囲】
【請求項１】
吸盤と、前記吸盤に連結され前記吸盤が被吸着面に吸着した状態で前記吸盤を介して前記被吸着面に取り付けられるケースとを有する２つの吸盤装置と、
前記２つの吸盤装置のケースを姿勢変換可能に連結する連結部と、
を備えることを特徴とする物品取り付け具。
【請求項２】
前記連結部は、前記２つの吸盤装置のうちの一方の吸盤装置のケースから一体に突設された被挟持体と、前記２つの吸盤装置のうちの他方の吸盤装置のケースから互いに対向するように一体に突設され前記被挟持体の挟持を可能とした一対の挟持板と、前記被挟持体を前記一対の挟持板で挟持した状態で前記一対の挟持板を締め付ける雄ねじ部材とを含んで構成されている、
ことを特徴とする請求項１記載の物品取り付け具。
【請求項３】
前記被挟持体は、第１の半径で球状に形成された第１球体を含んで構成され、
前記一対の挟持板が向かい合う内面にそれぞれ挟持用凹部が設けられ、
前記各挟持用凹部は、前記内面に開口する部分全周に前記第１の半径で形成された第１球面状挟持面を有し、
前記雄ねじ部材により前記一対の挟持板を締め付けることで、前記第1球面状挟持面により前記第１球体が締め付けられる、
ことを特徴とする請求項２記載の物品取り付け具。
【請求項４】
前記被挟持板は、第１の半径で球状に形成された第１球体を含んで構成され、
前記一対の挟持板が向かい合う内面にそれぞれ挟持用凹部が設けられ、
前記各挟持用凹部は、前記内面に開口する部分全周に前記第１の半径で形成された第１球面状挟持面を有し、
前記第１球体にその中心を通るように前記雄ねじ部材の雄ねじの挿通孔が貫通形成され、
前記一対の挟持板のうちの一方の挟持板の前記挟持用凹部の底部に、前記雄ねじ部材の雄ねじの挿通孔が貫通形成され、
前記一対の挟持板のうちの他方の挟持板の前記挟持用凹部の底部に、前記雄ねじ部材の雄ねじに螺合する雌ねじが形成され、
前記第１球体の挿通孔および前記一方の挟持板の挿通孔を挿通させた前記雄ねじ部材の雄ねじを前記雌ねじに螺合して前記一対の挟持板を締め付けることで、前記第１球面状挟持面により前記第１球体が締め付けられる、
ことを特徴とする請求項２記載の物品取り付け具。
【請求項５】
前記連結部は、前記２つの吸盤装置のケースからそれぞれ一体に突設された被挟持体と、前記２つの吸盤装置のケースの被挟持体の挟持を可能とした一対の挟持板と、前記２つの被挟持体を前記一対の挟持板で挟持した状態で前記一対の挟持板を締め付ける雄ねじ部材とを含んで構成されている、
ことを特徴とする請求項１記載の物品取り付け具。
【請求項６】
吸盤と、前記吸盤に連結され前記吸盤が被吸着面に吸着した状態で前記吸盤を介して前記被吸着面に取り付けられるケースとを有する２つの吸盤装置と、
前記２つの吸盤装置のケースを姿勢変換可能に連結する連結部とを備え、
前記連結部は、前記２つの吸盤装置のケースからそれぞれ一体に突設された被挟持体と、前記２つの吸盤装置のケースの被挟持体の挟持を可能とした一対の挟持板と、前記２つの被挟持体を前記一対の挟持板で挟持した状態で前記一対の挟持板を締め付ける雄ねじ部材とを含んで構成され、
前記２つの吸盤装置の一方の吸盤装置のケースから突設された前記被挟持体は、第１の半径で球状に形成された第１球体を含んで構成され、
前記２つの吸盤装置の他方の吸盤装置のケースから突設された前記被挟持体は、第２の半径で球状に形成された第２球体を含んで構成され、
前記一対の挟持板は、細長形状の第１挟持板と、細長形状の第２挟持板とを含み、
前記第１挟持板が前記第２挟持板に臨む内面で前記第１挟持板の長手方向の両側の箇所に第１挟持用凹部と第２挟持用凹部がそれぞれ形成されると共に、それら挟持用凹部の間の箇所に前記雄ねじ部材の雄ねじの挿通を可能とした挿通孔が貫通形成され、
前記第２挟持板が前記第１挟持板に臨む内面で前記第２挟持板の長手方向の両側の箇所に第３挟持用凹部と第４挟持用凹部がそれぞれ形成されると共に、それら挟持用凹部の間の箇所に、前記第１挟持用凹部と前記第３挟持用凹部との軸心を合致させ、かつ、前記第２挟持用凹部と前記第４挟持用凹部との軸心を合致させた状態で前記挿通孔に挿通された前記雄ねじ部材の雄ねじに螺合する雌ねじが形成され、
前記第１挟持用凹部は、前記内面に開口する部分全周に前記第１の半径で形成された第１球面状挟持面を有し、
前記第２挟持用凹部は、前記内面に開口する部分全周に前記第２の半径で形成された第２球面状挟持面を有し、
前記第３挟持用凹部は、前記内面に開口する部分全周に前記第１の半径で形成された第３球面状挟持面を有し、
前記第４挟持用凹部は、前記内面に開口する部分全周に前記第２の半径で形成された第４球面状挟持面を有し、
前記第１挟持用凹部と前記第３挟持用凹部とを対向させ、前記第２挟持用凹部と前記第４挟持用凹部とを対向させて、それら前記第１挟持用凹部と前記第３挟持用凹部の間に前記第１球体を位置させ、前記第２挟持用凹部と前記第４挟持用凹部の間に前記第２球体を位置させて前記挿通孔に挿通した雄ねじ部材の雄ねじを前記雌ねじに締め付けると、前記第１球体が前記第１球面状挟持面と前記第３球面状挟持面により挟持固定され、前記第２球体が前記第２球面状挟持面と前記第４球面状挟持面により挟持固定される、
ことを特徴とする物品取り付け具。
【請求項７】
前記第１挟持用凹部は、前記第１球面状挟持面の中央に前記第１球面状挟持面の仮想延長面よりも深い深さで形成された第１凹部を備え、
前記第２挟持用凹部は、前記第２球面状挟持面の中央に前記第２球面状挟持面の仮想延長面よりも深い深さで形成された第２凹部を備え、
前記第３挟持用凹部は、前記第３球面状挟持面の中央に前記第３球面状挟持面の仮想延長面よりも深い深さで形成された第３凹部を備え、
前記第４挟持用凹部は、前記第４球面状挟持面の中央に前記第４球面状挟持面の仮想延長面よりも深い深さで形成された第４凹部を備える、
ことを特徴とする請求項６記載の物品取り付け具。
【請求項８】
前記第１の半径と前記第２の半径とは同一の寸法で形成され、
前記挿通孔は、前記第１挟持用凹部の軸心と前記第２挟持用凹部の軸心との間の中心の箇所に形成され、
前記雌ねじは、前記第３挟持用凹部の軸心と前記第４挟持用凹部の軸心との間の中心の箇所に形成されている、
ことを特徴とする請求項６記載の物品取り付け具。
【請求項９】
前記第１挟持板の長手方向の両側における前記内面の箇所は、同一平面上を延在する第１内面として形成されると共に、前記第１挟持板の長手方向の中央部における前記内面の箇所は、前記第１内面よりも突出し前記平面に平行する平面上を延在する第２内面として形成され、
前記第１挟持用凹部と前記第２挟持用凹部は前記第１内面に形成され、前記挿通孔は前記第２内面に形成され、
前記第２挟持板の長手方向の両側における前記内面の箇所は、同一平面上を延在する第３内面として形成されると共に、前記第２挟持板の長手方向の中央部における前記内面の箇所は、前記第３内面よりも突出し前記平面に平行する平面上を延在する第４内面として形成され、
前記第３挟持用凹部と前記第４挟持用凹部は前記第３内面に形成され、前記雌ねじは前記第４内面に形成されている、
ことを特徴とする請求項６記載の物品取り付け具。
【請求項１０】
前記第１挟持板の長手方向の両側における前記内面の箇所は、同一平面上を延在する第１内面として形成されると共に、前記第１挟持板の長手方向の中央部における前記内面の箇所は、前記第１内面よりも突出し前記平面に平行する平面上を延在する第２内面として形成され、
前記第１挟持用凹部と前記第２挟持用凹部は前記第１内面に形成され、前記挿通孔は前記第２内面に形成され、
前記第２挟持板の長手方向の両側における前記内面の箇所は、同一平面上を延在する第３内面として形成されると共に、前記第２挟持板の長手方向の中央部における前記内面の箇所は、前記第３内面よりも突出し前記平面に平行する平面上を延在する第４内面として形成され、
前記第３挟持用凹部と前記第４挟持用凹部は前記第３内面に形成され、前記雌ねじは前記第４内面に形成され、
前記挿通孔の周囲の前記第２内面の箇所と、前記雌ねじの周囲の前記第４内面の箇所に、前記第１挟持用凹部と前記第３挟持用凹部との軸心を合致させ、かつ、前記第２挟持用凹部と前記第４挟持用凹部との軸心を合致させて前記第２内面と前記第４内面とを向かい合わせた状態で、互いに係合するピンと係合孔とが複数設けられている、
ことを特徴とする請求項６記載の物品取り付け具。
【請求項１１】
前記第１、第２挟持板の長手方向と直交する方向の幅は均一の寸法で形成され、
前記第１、第２挟持板の幅は同一の寸法で形成され、
前記雄ねじ部材は、前記雄ねじよりも大きい寸法の外径の頭部を有し、
前記頭部の外径は、前記第１、第２挟持板の幅よりも大きな寸法で形成されている、
ことを特徴とする請求項５記載の物品取り付け具。
【請求項１２】
前記吸盤はその厚さ方向の一方の面が吸着面とされ他方の面が背面となっており、
前記吸盤装置は、
前記吸盤の背面の中央から前記厚さ方向に沿って前記背面から離れる方向に突出する中心軸を有し、
前記ケースは、前記中心軸の周囲と前記吸盤の背面を覆い前記吸盤の背面の外周部に、または、前記吸着面が被吸着面に吸着した状態で前記吸盤の外側に位置する前記被吸着面の箇所に当接可能に設けられ、
前記吸着面が被吸着面に吸着した状態で前記ケースを、前記背面の外周部に、または、前記被吸着面の箇所に、当接する方向に付勢すると共に前記中心軸を前記被吸着面から離れる方向に付勢する付勢機構が前記中心軸と前記ケースとの間に設けられている、
ことを特徴とする請求項１記載の物品取り付け具。
【請求項１３】
前記ケースは、前記中心軸を覆う筒部と、前記筒部の端部に設けられ前記吸盤の背面を覆いその先端が前記背面の外周部に、または、前記吸着面が被吸着面に吸着した状態で前記吸盤の外側に位置する前記被吸着面の箇所に当接可能な環板部とを有し、
前記付勢機構はコイルスプリングを含んで構成され、
前記コイルスプリングは、前記筒部の内側で前記中心軸の外周に巻装され、前記中心軸の先端と前記筒部の前記環板部寄りの箇所との間に設けられている、
ことを特徴とする請求項１２記載の物品取り付け具。
【請求項１４】
前記吸盤はその厚さ方向の一方の面が吸着面とされ他方の面が背面となっており、
前記吸盤は、弾性変形可能な材料からなり厚さ方向の一方の面が前記背面を構成し厚さ方向の他方の面に凹状の取り付け面が形成された円盤状の吸盤本体と、前記取り付け面に該取り付け面を覆うように接合されたゲルからなるゲル層とを含んで構成され、
前記吸着面は前記ゲル層の表面で形成されている、
ことを特徴とする請求項１記載の物品取り付け具。
【発明の詳細な説明】
【技術分野】
【０００１】
本発明は物品取り付け具に関する。
【背景技術】
【０００２】
種々の物品の表面に球面からなる球状部を突設し、この球状部を吸盤装置を介して壁面などに取り付けるようにした物品取り付け構造が提供されている（特許文献１参照）。
【特許文献１】特開２０００−２８７８００
【発明の開示】
【発明が解決しようとする課題】
【０００３】
しかしながら、このような従来の物品取り付け構造は、予め物品に球状部を設けなくてはならず、また、吸盤を必要とすることから、物品の出荷や販売時に物品が大型化し、取り扱いが不便となる不具合がある。
本発明はこのような事情に鑑みなされたものであり、その目的は、物品に特殊な形状を設けることなく任意の箇所への取り付けを可能とし、物品自体を小型化できる物品取り付け具を提供することにある。
【課題を解決するための手段】
【０００４】
上述の目的を達成するため、本発明の物品取り付け具は、吸盤と、前記吸盤に連結され前記吸盤が被吸着面に吸着した状態で前記吸盤を介して前記被吸着面に取り付けられるケースとを有する２つの吸盤装置と、前記２つの吸盤装置のケースを姿勢変換可能に連結する連結部とを備えることを特徴とする。
【発明の効果】
【０００５】
本発明の物品取り付け具によれば、２つの吸盤装置を用いて物品を被吸着面に取り付けるようにしたので、物品側に吸盤の面積に対応した平坦面や湾曲面を設けておけば、物品を所望の被吸着面箇所に取り付けることが可能となる。
したがって、物品に予め球体を突設したり、また、物品に吸盤装置を設ける必要が無くなり、物品を小型化する上で有利となる。
【発明を実施するための最良の形態】
【０００６】
（第１の実施の形態）
次に、本発明の物品取り付け具５０の実施の形態について図面を参照して説明する。
図１は第１の実施の形態の物品取り付け具５０を用いて取り付けるゲーム機１０の説明図、図２は第１の実施の形態の物品取り付け具５０の分解斜視図、図３は第１の実施の形態の物品取り付け具５０の組立図、図４は第１の実施の形態の物品取り付け具５０を用いてゲーム機１０を取り付けた状態を示す図である。
ゲーム機１０はケース１２と、該ケース１２に収容保持された不図示の液晶表示パネルなどを含んで構成されている。
物品取り付け具５０は、ゲーム機１０を壁面や机の上面などの被吸着面２に取り付けるものである。
そして、本実施の形態の物品取り付け具５０によりゲーム機１０が姿勢変更可能に取り付けられ、より詳細には、壁面や机の上面に対してゲーム機１０が姿勢変更可能に取着される。
【０００７】
図１に示すように、ゲーム機１０のケース１２は長方形板状を呈し、その厚さ方向の一方の面が前面１２０２となっており、他方の面が背面１２０４となっている。
ケース１２は、不図示の液晶表示パネルを、その表示面を前面１２０２の開口に臨ませて収容保持している。
ケース１２の前面１２０２には、ゲーム機１０を操作するための種々の操作ボタンが設けられ、上面１２１０には外部機器と接続するための入出力端子１２２０などが設けられ、背面１２０４は平坦面あるいはなだらかな湾曲面で形成されている。
【０００８】
次に、物品取り付け具５０について説明する。
図２、図３に示すように、物品取り付け具５０は、第１、第２の吸盤装置２０Ａ、２０Ｂと、それら第１、第２の吸盤装置２０Ａ、２０Ｂを連結する連結部８０とを備えている。
そして、連結部８０は、図２、図３、図９に示すように、第１の吸盤装置２０Ａの被挟持体４６と、第２の吸盤装置２０Ｂの一対の挟持板８２と、雄ねじ部材８４とを含んで構成されている。
まず、第１の吸盤装置２０Ａについて説明する。
図５は第１の吸盤装置２０Ａの斜視図、図６は第１の吸盤装置２０Ａの平面図、図７は第１の吸盤装置２０Ａの側面図、図８は第１の吸盤装置２０Ａの側面断面図、図９は連結部８０の説明図である。
図５に示すように、第１の吸盤装置２０Ａは、吸盤２２と、軸状部材２４と、ケース２６と、コイルスプリング２８（図８参照）などを含んで構成されている。
図８に示すように、吸盤２２は、厚さ方向の一方の面に吸着面３０が形成され厚さ方向の他方の面が背面３２とされている。
吸盤２２は、吸着面３０が形成された円盤状の吸盤本体３６を備えており、吸盤本体３６の背面３２の中央から吸盤軸部３８が突設され、この吸盤軸部３８に中心軸２４０４の基部が連結されている。
また、吸盤本体３６の外縁に取り外し操作用の片体３９が突設されている。
吸盤本体３６は、弾性を有する合成樹脂材料、例えば、ウレタン系やスチレン系、シリコン樹脂系など、従来の吸盤に用いられている従来公知の様々な材料が使用可能である。
本実施の形態では、背面３２と反対に位置する吸盤２２の面に凹状の取り付け面２２１０が形成され、取り付け面２２１０に該取り付け面２２１０を覆うようにゲルからなるゲル層４８が接合され、吸着面３０はこのゲル層４８の表面で凹状に形成されている。
このようなゲルとして、ポリエチレン系、スチレン系、シリコン樹脂系などの合成樹脂系のゲルが使用可能であり、ポリエチレン系のゲルとして、例えば、市販品である株式会社コスモ計器の商品名「コスモゲル」を使用可能である。スチレン系のゲルとして、例えば、市販品である株式会社イノアックコーポレーションの商品名「ＮＡＧＦＬＥＸ」を使用可能である。シリコン系のゲルとして、例えば、市販品である株式会社ジェルテックの商品名「αＧＥＬ」（アルファゲル）を使用可能である。
また、取り付け面２２１０へのゲル層４８の接合は、二色成形や接着剤による接合などの方法が採用可能である。
このような吸盤２２によれば、吸盤２２の吸着面３０がゲル層４８で形成されているので、被吸着面２が皮シボ面として形成され、こまかな凹凸面あるいはざらざらな面であっても、吸着面３０は凹凸に追従して変形し、凹凸面との間に隙間を介在させずに凹凸面やざらざらな面に吸着面３０を密着でき、吸盤２２を凹凸面やざらざらな面に確実に吸着させる上で有利となる。
【０００９】
中心軸２４０４の先端にねじ４２によりキャップ４０が取着され、軸状部材２４は、このキャップ４０と中心軸２４０４により構成されている。
【００１０】
ケース２６は、軸状部材２４に、軸状部材２４の長手方向に移動可能に結合されている。
ケース２６は、キャップ４０の外周面に軸方向に移動可能に結合され中心軸２４０４を覆う外筒部２６０２と、外筒部２６０２の軸方向の中間部の内周面に設けられたつば部２６０６と、外筒部２６０２の軸方向の一端から環板状に広がり吸盤本体３６の背面３２を覆う環板部２６０８とを備え、外筒部２６０２の長手方向の他端から被挟持体４６が一体的に突設されている。
本実施の形態では、被挟持体４６は第１の半径で球状に形成された第１球体４６Ａを含んで構成され、第１球体４６Ａの直径方向にねじ挿通孔４６０２が貫通形成されている。
【００１１】
コイルスプリング２８は、軸状部材２４とケース２６との間に設けられケース２６を吸着面３０方向に付勢している。
なお、コイルスプリング２８はケース２６を吸着面３０方向に付勢するものであればよく、ゴムやソリッドなダンパなどの弾性体も使用可能である。
コイルスプリング２８は、中心軸２４０４の外側かつ外筒部２６０２の内側でキャップ４０の凹部の底面とつば部２６０６との間にわたって設けられている。本実施の形態では、それらコイルスプリング２８、キャップ４０、つば部２６０６により特許請求の範囲の付勢機構が構成されている。
【００１２】
次に、第１の吸盤装置２０Ａの被吸着面２への吸着について説明する。
まず、図８に示すように、第１の吸盤装置２０Ａの吸盤２２の吸着面３０を被吸着面２に臨ませ、吸着面３０の外周部を被吸着面２に当て付ける。この状態で、吸着面３０と被吸着面２との間には空気が介在した空間が形成されている。
次に、キャップ４０を吸着面２方向に押圧したのちキャップ４０から指を離す。
まず、キャップ４０が押圧されることで、図７に示すように、吸盤２２の中央部分が被吸着面２に近接する方向に変形し、吸着面３０の全域が被吸着面２に密着し、前記空間に介在した空気が吸着面３０と被吸着面２との間から排出され、吸着面３０と被吸着面２との間がほぼ真空状態となり、吸盤２２が被吸着面２に吸着され、これにより第１の吸盤装置２０Ａが非吸着面２に取り付けられる。
次にキャップ４０から指が離されると、コイルスプリング２８の弾性力により、吸着面３０が被吸着面２に吸着した状態でケース２６の環板部２６０８の外周部全周が吸盤２２の背面３２に当接され、かつ、当接される方向に付勢されると共に中心軸２４０４が被吸着面２から離れる方向に付勢され、これにより、第１の吸盤装置２０Ａががたつくことなく壁面や机の上面などの被吸着面２に確実に取着される。
【００１３】
次に第２の吸盤装置２０Ｂについて説明する。
図２、図９に示すように、第２の吸盤装置２０Ｂが第１の吸盤装置２０Ａと異なるのは、第２の吸盤装置２０Ｂのケース２６の外筒部２６０２の長手方向の他端から互いに対向するように一体に突出する一対の挟持板８２が、被挟持体４６に代えて設けられている点であり、それ以外は第１の吸盤装置２０Ａと同様に構成されている。
一対の挟持板８２の対向する内面には、挟持用凹部８２０１がそれぞれ設けられている。
挟持用凹部８２０１は、挟持板８２の内面に開口する部分全周に前記第１の半径で形成された球面状挟持面８２０２を有している。そして、球面状挟持面８２０２の中央に球面状挟持面８２０２の仮想延長面よりも深い深さで凹部８２０４が形成され、凹部８２０４の中央に挟持板８２の外面に開口する孔が形成されている。この孔は一対の挟持板８２のうちの一方の挟持板８２では雄ねじ部材８４の雄ねじが挿通される挿通孔８２０６として形成され、他方の挟持板８２では雄ねじ部材８４の雄ねじ８４０２が螺合される雌ねじ８２０８として形成されている。
【００１４】
図２に示すように、雄ねじ部材８４は、雄ねじ８４０２と、頭部８４０４とを有している。
また、本実施の形態では、頭部８４０４を指でつかみやすく弱い力でも確実に回転操作しやすいように、頭部８４０４の断面は、各辺が内側に湾曲した六角形状を呈している。
また、頭部８４０４の上面には、狭い箇所においても雄ねじ部材８４を確実に締め付けできるように、六角孔などのような工具が係脱される回転操作用係合孔８４０６が形成されている。
【００１５】
図２、図３、図９に示すように、本実施の形態の物品取り付け具５０では、一対の挟持板８２の間に被挟持体４６を位置させ、雄ねじ部材８４の雄ねじ８４０２を、一方の挟持板８２のねじ挿通孔８２０４および被挟持体４６のねじ挿通孔４６０２に挿通させ、他方の挟持板８２の雌ねじ８２０６に螺合させる。この螺合を緩めた状態にしておくと、第１、第２の吸盤装置２０Ａ、２０Ｂのケース２６をそれぞれ雄ねじ８４０２の軸心回りに揺動させることができ、また、雄ねじ部材８４を締め付けると、第１球体４６Ａが一対の挟持板８２の球面状挟持面８２０２により固定される。
【００１６】
本実施の形態の物品取り付け具５０によってゲーム機１０を机の上面からなる被吸着面２に取着する際には、まず、第１、第２の吸盤装置２０Ａ、２０Ｂのうちの一方の吸盤装置の吸盤２２をゲーム機１０の背面１２０４に吸着固定させ、他方の吸盤装置の吸盤２２を被吸着面２に吸着固定させる。
そして、ねじ挿通孔８２０６、４６０２に挿通した雄ねじ部材８４を雌ねじ８２０６に対して緩めた状態でゲーム機１０を所望の姿勢に揺動させ、所望の姿勢になったところで雄ねじ部材８４の雄ねじ８４０２を締め付け、第１球体４６Ａを球面状挟持面８２０２で締め付け固定する。
これによりゲーム機１０は机上において所望姿勢で確実に取り付けられる。
【００１７】
本実施の形態によれば、２つの吸盤装置２０Ａ、２０Ｂを用いて物品を被吸着面２に取り付けるようにしたので、物品側に吸盤２２の面積に対応した平坦面や湾曲面を設けておけば、物品を所望の被吸着面２箇所に取り付けることが可能となる。
したがって、物品に予め球体を突設したり、また、物品に吸盤装置を設ける必要が無くなり、物品を小型化でき、物品の出荷時や店頭陳列時に極めて有利となる。
また、物品を所望の被吸着面箇所に所望の姿勢で簡単に取り付ける上で有利となる。
なお、第１、第２の吸盤装置２０Ａ、２０Ｂ自体の構成は任意であり、ケース２６の環板部２６０８を、図１０に示すように、吸着面３０が被吸着面２に吸着した状態で吸盤２２の外側に位置する被吸着面２の箇所に当接するように設けてもよく、あるいは、コイルスプリング２８に代え、中心軸２４０４とケース２６との間に、吸着面３０が被吸着面２に吸着した状態でケース２６の環板部２６０８の外周部全周を吸盤２２の背面３２に、あるいは、吸盤２２の外側に位置する被吸着面２の箇所に当接する方向に付勢すると共に中心軸２４０４を被吸着面２から離れる方向に付勢するカム機構などを設けるなど、従来公知の様々な吸盤装置の構成が採用可能である。
【００１８】
（第２の実施の形態）
次に第２の実施の形態について説明する。
第２の実施の形態は、連結部の構成が第１の実施の形態と異なっており、その他の点は第１の実施の形態と同様に構成されている。
図１１は第２の実施の形態の物品取り付け具５１を用いてゲーム機１０を取り付ける際の説明図、図１２は第２の実施の形態の物品取り付け具５１を用いてゲーム機１０を取り付けた状態を示す図である。
図１３（Ａ）は第１挟持板５２の平面図、（Ｂ）は同正面図、図１４（Ａ）は第２挟持板５４の平面図、（Ｂ）は同正面図、図１５は連結部８６の組み立て図、図１６は雄ねじ部材５６の斜視図、図１７（Ａ）は雄ねじ部材５６の平面図、（Ｂ）は同正面図である。
なお、以下の実施の形態では第１の実施の形態と同様の部分、部材には同一の符号を付して説明する。
【００１９】
図１０に示すように、第２の実施の形態の物品取り付け具５１は、第１、第２の吸盤装置２１Ａ、２１Ｂと、それら２つの吸盤装置２１Ａ、２１Ｂを連結する連結部８６とを備えている。
連結部８６は、図１５に示すように、第１、第２の吸盤装置２１Ａ、２１Ｂのケース２６からそれぞれ一体に突設された第１、第２の被挟持体８８、９０と、第１、第２の被挟持体８８、９０の挟持を可能とした第１、第２挟持板５２、５４と、第１、第２の被挟持体８８、９０を第１、第２挟持板５２、５４で挟持した状態で第１、第２挟持板５２、５４を締め付ける雄ねじ部材５６とを含んで構成されている。
【００２０】
第１の吸盤装置２１Ａは、第１の実施の形態の第１の吸盤装置２０Ａと同様に、吸盤２２と、軸状部材２４と、ケース２６と、コイルスプリング２８などを含んで構成され、ケース２６の外筒部２６０２の長手方向の他端から第１の被挟持体８８が突設されている。
第１の被挟持体８８は、第１の半径で球状に形成された第１球体８８Ａを含んで構成されている。
第２の吸盤装置２１Ｂも、第１の実施の形態の第１の吸盤装置２０Ａと同様に、吸盤２２と、軸状部材２４と、ケース２６と、コイルスプリング２８などを含んで構成され、ケース２６の外筒部２６０２の長手方向の他端から第２の被挟持体９０が突設されている。
第２の被挟持体９０は、第２の半径で球状に形成された第２球体９０Ａを含んで構成され、本実施の形態では、前記第１の半径と前記第２の半径は同一の値である。
【００２１】
図１３、図１４に示すように、第１、第２挟持板５２、５４はその長手方向と直交する方向の幅が均一の寸法で形成され、本実施の形態では、第１、第２挟持板５２、５４の幅は同一の寸法で形成され、長手方向の両端は円弧状に形成されている。
図１３（Ａ）、（Ｂ）に示すように、第１挟持板５２の長手方向の両側における内面の箇所に第１挟持用凹部５８と第２挟持用凹部６０がそれぞれ形成されると共に、それら挟持用凹部５８、６０の間の箇所に雄ねじ部材５６の雄ねじの挿通を可能とした挿通孔６２が貫通形成されている。
第１挟持板５２の長手方向の両側における内面の箇所は、同一平面上を延在する第１内面５２Ａとして形成されると共に、第１挟持板５２の長手方向の中央部における内面の箇所は、第１内面５２Ａよりも突出し平面に平行する平面上を延在する第２内面５２Ｂとして形成されている。
また、第１挟持板５２の厚さ方向の他方の面である外面５２Ｃは、それらの内面５２Ａ、５２Ｂと平行する単一の平面で形成されている。
第１挟持用凹部５８と第２挟持用凹部６０は第１内面５２Ａに形成され、挿通孔６２は第２内面５２Ｂに形成されている。
第１挟持用凹部５８は、第１内面５２Ａに開口する部分全周に前記第１の半径で形成された第１球面状挟持面５８Ａを有している。
本実施の形態では、第１球面状挟持面５８Ａの中央に第１球面状挟持面５８Ａの仮想延長面よりも深い深さで第１凹部５８０２が形成され、第１凹部５８０２の中央に外面５２Ｃに開口する孔５８０４が形成されている。
第２挟持用凹部６０は、第１内面５２Ａに開口する部分全周に前記第２の半径で形成された第２球面状挟持面６０Ａを有している。
本実施の形態では、第２球面状挟持面６０Ａの中央に第２球面状挟持面６０Ａの仮想延長面よりも深い深さで第２凹部６００２が形成され、第２凹部６００２の中央に外面５２Ｃに開口する孔６００４が形成されている。
上述のように前記第１の半径と前記第２の半径とは同一の寸法で形成されており、挿通孔６２は、第１挟持用凹部５８の軸心と第２挟持用凹部６０の軸心との間の中心の箇所に形成されている。
挿通孔６２の周囲の第２内面５２Ｂの複数個所から回り止め用のピン６４が突設されている。
【００２２】
図１４（Ａ）、（Ｂ）に示すように、第２挟持板５４の長手方向の両側における内面の箇所に第３挟持用凹部６６と第４挟持用凹部６８がそれぞれ形成されると共に、それら挟持用凹部６６、６８の間の箇所に雄ねじ部材５６の雄ねじに螺合する雌ねじ７０が形成されている。
第２挟持板５４の長手方向の両側における内面の箇所は、同一平面上を延在する第３内面５４Ａとして形成されると共に、第２挟持板５４の長手方向の中央部における内面の箇所は、第３内面５４Ａよりも突出し平面に平行する平面上を延在する第４内面５４Ｂとして形成されている。
また、第２挟持板５４の厚さ方向の他方の面である外面５４Ｃは、それらの内面５４Ａ、５４Ｂと平行する単一の平面で形成されている。
第３挟持用凹部６６と第４挟持用凹部６８は第３内面５４Ａに形成され、雌ねじ７０は第４内面５４Ｂに形成されている。
第３挟持用凹部６６は、第３内面５４Ａに開口する部分全周に前記第１の半径で形成された第３球面状挟持面６６Ａを有している。
本実施の形態では、第３球面状挟持面６６Ａの中央に第３球面状挟持面６６Ａの仮想延長面よりも深い深さで第３凹部６６０２が形成され、第３凹部６６０２の中央に外面５４Ｃに開口する孔６６０４が形成されている。
第４挟持用凹部６８は、第３内面５４Ａに開口する部分全周に前記第２の半径で形成された第４球面状挟持面６８Ａを有している。
本実施の形態では、第４球面状挟持面６８Ａの中央に第４球面状挟持面６８Ａの仮想延長面よりも深い深さで第４凹部６８０２が形成され、第４凹部６８０２の中央に外面５４Ｃに開口する孔６８０４が形成されている。
雌ねじ７０は、第１挟持用凹部５８と第３挟持用凹部６６との軸心を合致させ、かつ、第２挟持用凹部６０と第４挟持用凹部６８との軸心を合致させた状態で、挿通孔６２に挿通された雄ねじ部材５６の雄ねじに螺合するように形成されている。
上述のように前記第１の半径と前記第２の半径とは同一の寸法で形成されており、雌ねじ７０は、第３挟持用凹部６６の軸心と第４挟持用凹部６８の軸心との間の中心の箇所に形成されている。
雌ねじ７０の周囲の第４内面５４Ｂの複数個所に、回り止め用のピン６４に係合する係合孔７２が形成されている。
【００２３】
雄ねじ部材５６は、図１６、図１７に示すように、雄ねじ５６０２と、頭部５６０４とを有している。
また、図２、図４に示すように、頭部５６０４の外形は、回転操作しやすいように、第１、第２挟持板５２、５４の幅よりも大きな寸法で形成されている。
また、本実施の形態では、頭部５６０４を指でつかみやすく弱い力でも確実に回転操作しやすいように、頭部５６０４の断面は、各辺が内側に湾曲した六角形状を呈している。
また、頭部５６０４の上面には、狭い箇所においても雄ねじ部材５６を確実に締め付けできるように、六角孔などのような工具が係脱される回転操作用係合孔５６０６が形成されている。
【００２４】
本実施の形態の連結部８６では、図１５に示すように、第１挟持用凹部５８と第３挟持用凹部６６とを対向させ、第２挟持用凹部６０と第４挟持用凹部６８とを対向させて、それら第１挟持用凹部５８と第３挟持用凹部６６の間に第１球体８８Ａを位置させ、第２挟持用凹部６０と第４挟持用凹部６８の間に第２球体９０Ａを位置させる。
そして、頭部５６０４を操作して挿通孔６２に挿通した雄ねじ部材５６の雄ねじ５６０２を雌ねじ７０に締め付けると、図１５に示すように、第１球体８８Ａが第１球面状挟持面５８Ａと第３球面状挟持面６６Ａにより挟持固定され、第２球体９０Ａが第２球面状挟持面６０Ａと第４球面状挟持面６８Ａにより挟持固定される。なお、このように締め付け固定された状態で第１挟持板５２の第２内面５２Ｂと第２挟持板５４の第４内面５４Ｂとの間には隙間が確保され、また、それら内面５２Ｂ、５４Ｂは平行している。
【００２５】
本実施の形態の物品取り付け具５１によってゲーム機１０を机の上面である被吸着面２に取着する際には、まず、第１、第２の吸盤装置２１Ａ、２１Ｂのうちの一方の吸盤装置の吸盤２２をゲーム機１０の背面１２０４に吸着固定させ、他方の吸盤装置の吸盤２２を被吸着面２に吸着固定させる。
そして、ねじ挿通孔６２に挿通した雄ねじ部材５６を雌ねじ７０に対して緩めた状態でゲーム機１０を所望の姿勢に揺動させ、所望の姿勢になったところで雄ねじ部材５６の雄ねじ５６０２を締め付け、第１、第２球体８８Ａ、９０Ａを各球面状挟持面５８Ａ、６６Ａ、６０Ａ、６８Ａで締め付け固定する。
これによりゲーム機１０は机上において所望姿勢で確実に取り付けられる。
【００２６】
このような第２の実施の形態においても第１の実施の形態と同様の効果が奏される。
さらに、第２の実施の形態では、第１の吸盤装置２１Ａの第１球体８８Ａと、第２の吸盤装置２１Ｂの第２球体９０Ａとを独立して動かすことができるため、第１の実施の形態に比較して、物品の姿勢変更の自由度をより大きく確保することができ有利である。
また、第２の実施の形態では、第１球体８８Ａが、この第１球体８８Ａと同じ半径の第１球面状挟持面５８Ａと第３球面状挟持面６６Ａにより挟持され固定され、また、第２球体９０Ａが、この第２球体９０Ａと同じ半径の第２球面状挟持面６０Ａと第４球面状挟持面６８Ａにより挟持され固定されるので、２つの第１、第２球体８８Ａ、９０Ａの挟持固定が確実に行われる。
また、第２の実施の形態によれば、雄ねじ部材５６を緩める、あるいは、締め付けるという簡単な操作で、第１、第２球体８８Ａ、９０Ａの双方を同時に自由に回転できる状態とし、あるいは、第１、第２球体８８Ａ、９０Ａの双方を同時に挟持固定することができるため、ゲーム機１０の姿勢変更を素早く行え、操作性を向上させる上で有利となる。
【００２７】
また、第２の実施の形態では、第１、第２球体８８Ａ、９０Ａの半径を同一とし、かつ、挿通孔６２を、第１挟持用凹部５８の軸心と第２挟持用凹部６０の軸心との間の中心の箇所に形成し、かつ、雌ねじ７０を、第３挟持用凹部６６の軸心と第４挟持用凹部６８の軸心との間の中心の箇所に形成したので、雄ねじ部材５６を締め付けることによって第１球体８８Ａを第１、第３球面状挟持面５８Ａ、６６Ａで挟持する力と、第２球体９０Ａを第２、第４球面状挟持面６０Ａ、６８Ａで挟持する力とを等しくでき、第１、第２球体８８Ａ、９０Ａの挟持固定を確実に行う上でより有利となる。
また、第１、第２球体８８Ａ、９０Ａの半径を異ならせ、雄ねじ部材５６の配設箇所を、第１挟持用凹部５８の軸心と第２挟持用凹部６０の軸心との間の中心の箇所から変位させてもよいが、第２の実施の形態のように構成すると、第１、第２球体８８Ａ、９０Ａを挟持する力を等しくするための構造を簡素化でき、製造コストの削減を図る上で有利となる。
【００２８】
なお、各実施の形態では、物品取り付け具５０、５１によって取り付ける物品がゲーム機１０である場合について説明したが、物品取り付け具５０、５１によって取り付けることができる物品は、その物品に吸盤２２が吸着可能な面が設けられていれば任意であり、取り付け可能な物品は、例えば、ディスプレイ装置などの電子機器、あるいは、スピーカー装置などのオーディオ機器などが挙げられる。例えば、カーナビケーションシステムを構成するディスプレイ装置を、車のダッシュボードやフロントガラスに対して取着する場合、ディスプレイ装置の姿勢変更の自由度を大きく確保でき、ディスプレイ装置が車内において所望の姿勢で取着される。
また、各実施の形態では、物品取り付け具５０、５１を取り付ける被吸着面２が机の上面である場合について説明したが、被吸着面２は吸盤２２の面積に対応した平坦面や湾曲面であれば任意であり、被吸着面２として、例えば、室内の壁面、あるいは、建物の窓ガラス、自動車のフロントガラス、ダッシュボードなどが挙げられる。
【図面の簡単な説明】
【００２９】
【図１】第１の実施の形態の物品取り付け具５０を用いて取り付けるゲーム機１０の説明図である。
【図２】第１の実施の形態の物品取り付け具５０の分解斜視図である。
【図３】第１の実施の形態の物品取り付け具５０の組立図である。
【図４】第１の実施の形態の物品取り付け具５０を用いてゲーム機１０を取り付けた状態を示す図である。
【図５】第１の吸盤装置２０Ａの斜視図である。
【図６】第１の吸盤装置２０Ａの平面図である。
【図７】第１の吸盤装置２０Ａの側面図である。
【図８】第１の吸盤装置２０Ａの側面断面図である。
【図９】連結部８０の説明図である。
【図１０】他の吸盤装置の側面断面図である。
【図１１】第２の実施の形態の物品取り付け具５１を用いてゲーム機１０を取り付ける際の説明図である。
【図１２】第２の実施の形態の物品取り付け具５１を用いてゲーム機１０を取り付けた状態を示す図である。
【図１３】（Ａ）は第１挟持板５２の平面図、（Ｂ）は同正面図である。
【図１４】（Ａ）は第２挟持板５４の平面図、（Ｂ）は同正面図である。
【図１５】連結部８６の組み立て図である。
【図１６】雄ねじ部材５６の斜視図である。
【図１７】（Ａ）は雄ねじ部材５６の平面図、（Ｂ）は同正面図である。
【符号の説明】
【００３０】
２２……吸盤、２……被吸着面、２６……ケース、２０Ａ、２１Ａ……第１の吸盤装置、２０Ｂ、２１Ｂ……第２の吸盤装置、５０、５１……物品取り付け具、８０、８６……連結部。
【図１】
2008093026.tif 000003
【図２】
2008093026.tif 000004
【図３】
2008093026.tif 000005
【図４】
2008093026.tif 000006
【図５】
2008093026.tif 000007
【図６】
2008093026.tif 000008
【図７】
2008093026.tif 000009
【図８】
2008093026.tif 000010
【図９】
2008093026.tif 000011
【図１０】
2008093026.tif 000012
【図１１】
2008093026.tif 000013
【図１２】
2008093026.tif 000014
【図１３】
2008093026.tif 000015
【図１４】
2008093026.tif 000016
【図１５】
2008093026.tif 000017
【図１６】
2008093026.tif 000018
【図１７】
2008093026.tif 000019